(57)【要約】  本発明は、映像信号受信器のフィルタの補正に関する。小信号に重畳される大信号の制御に従って小信号の非線形増幅を補正するために、本発明は大信号の制御を検出し、大信号の制御に従ってフィルタの作用点を変化させることを提案する。フィルタは作用点の位置に従ってそれぞれに小信号を増幅するため、フィルタの非線形性が補正される。
2005510932.tif 000002
【特許請求の範囲】
【請求項１】
信号、特に複合映像信号を増幅する増幅器手段と、前記信号内の周波数帯域をフィルタリングするフィルタリング手段とを具備してなり、前記フィルタリング手段が非線形制御依存伝達関数を有し、映像信号受信器、特にテレビ信号受信器における周波数フィルタ、特にIF周波数フィルタ、音声副搬送波フィルタまたは音声副搬送波トラップのための補正回路であって、前記信号の制御を検出する検出手段が設けられ、前記信号のDC成分を変化させる変化手段が設けられ、前記フィルタリング手段の前記伝達関数の前記非線形性を前記信号の前記DC成分の変化によって少なくとも部分的に補正することが可能であることを特徴とする、補正回路。
【請求項２】
前記検出手段が、その出力において前記信号の制御が検出可能である全波整流器を具備してなることを特徴とする、請求項１に記載の補正回路。
【請求項３】
前記フィルタリング手段が、前記信号の音声搬送波周波数を前記フィルタリング手段によってフィルタリングすることが可能な音声搬送波トラップとして実施されることを特徴とする、請求項１に記載の補正回路。
【請求項４】
前記変化手段が分圧器を具備してなり、また前記分圧器が、前記分圧器によって前記信号のDC位置を変化させることの可能な前記信号に結合されることを特徴とする、請求項１に記載の補正回路。
【請求項５】
検出された前記信号の制御に従って前記信号の前記DC位置を変化させることの可能な電圧／電流ネットワークが設けられることを特徴とする、請求項１に記載の補正回路。
【請求項６】
前記増幅器手段がトランスコンダクタンス増幅器によって構成されることを特徴とする、請求項１に記載の補正回路。
【請求項７】
信号、特に複合映像信号が増幅され、増幅された前記信号から信号振幅が検出され、増幅された前記信号のDC成分の変化が検出された前記信号振幅に従って実行され、変化した前記信号はフィルタによってフィルタリングされる、映像信号受信器におけるフィルタ、特にIFフィルタ、IF音声副搬送波フィルタまたはIF周波数トラップの非整形伝達関数を補正する方法であって、前記フィルタの非線形性が前記DC成分の変化により少なくとも部分的に補正されることを特徴とする方法。
【請求項８】
音声搬送波を抑制するテレビ受信器、映像受信器または集積回路における請求項１に記載の補正回路の用途または請求項７に記載の方法の用途。
【発明の詳細な説明】
【技術分野】
【０００１】
本発明は、特に複合映像信号などの信号を増幅する増幅器手段と、信号内の周波数帯域をフィルタリングするフィルタリング手段とを具備してなり、前記フィルタリング手段が非線形制御依存伝達関数を有する、特にテレビ信号受信器などの映像信号受信器の周波数フィルタ、特にIF周波数フィルタ、音声副搬送波フィルタまたは音声副搬送波トラップの補正回路に関する。
【０００２】
複合映像信号は、画像信号と、各情報信号が搬送波信号上で変調される音声搬送波信号とを具備してなる。画像信号と音声搬送波信号を分離させるために、複合映像信号のIF信号の復調後に、複合映像信号を音声搬送波信号と画像信号とに分離させる。画像信号経路内の音声搬送波信号を抑制させるために、音声搬送波を確実に抑制させることが必要である。そのため、テレビ受信器回路の従来のIF段は、特に集積または外部音声搬送波抑制を有するフィルタを具備してなる。このために、一方で音声搬送波を抑制し、また他方で画像信号を増幅するフィルタが使用される。
【０００３】
従来の複合映像信号は、ベースバンド画像信号と重畳音声搬送波信号とから成る。ベースバンド画像信号は０から４または５MHｚの範囲に及んでいる。画像信号は、輝度信号と搬送波変調クロミナンス信号とを具備してなる。また、複合映像信号は、搬送波信号変調音声信号を具備してなる。クロミナンス信号は、例えば約４．４３または３．５６MHｚの周波数である。画像信号の干渉を回避するために、音声搬送波トラップによって、音声搬送波信号を複合映像信号から確実にフィルタリングしなければならない。
【０００４】
以後高周波数クロミナンス信号と称する高周波数を有するクロミナンス信号は、以後低周波数輝度信号と称する低周波数を有する輝度信号上に重畳される。重畳クロミナンス信号の振幅は、輝度信号の振幅よりも本来小さい。これは、輝度信号が画像信号の振幅の大部分の範囲に渡っていることを意味する。重畳クロミナンス信号は位相変調及び振幅変調され、これによって色度及び彩度が決定される。
【０００５】
画像信号はフィルタで増幅される。映像パラメータ「微分利得」は、低周波数輝度信号に対して高周波数クロミナンス信号の振幅を決定する。
【０００６】
しかし、従来のフィルタは、クロミナンス信号の非線形振幅を有している。この非線形性は、高周波数クロミナンス信号が低周波数輝度信号の制御に従って増幅されることを特徴とする。例えば、既知のフィルタは、好適にはPMOSトランジスタである金属酸化膜半導体（MOS）トランジスタを具備してなる。これらは三極領域で駆動されるので、PMOSトランジスタをこの領域において制御可能レジスタとして使用することができる。これはフィルタの調整に必要である。
【０００７】
三極領域におけるPMOSトランジスタの動作は、低周波数輝度信号の制御が増すと高周波数クロミナンス信号の振幅が低下するという欠点を有している。この非線形性によって、画像信号の輝度に従ってクロミナンス信号の振幅が異なってしまうので、望ましくない。
【０００８】
従って、本発明は、フィルタの振幅依存制御を補正することを目的とする。
【０００９】
上文に説明した最新技術より知られる技術的問題は、信号の制御を検出する検出手段が設けられ、また信号のDC成分を変化させる変化手段が設けられており、フィルタリング手段の伝達関数の非線形性を信号のDC成分の変化によって少なくとも部分的に補正することができる点において、本発明により解決される。本発明は、既知のフィルタにおける増幅が信号の制御に依存するだけでなく、信号のDC位置にも依存するという認識に基づいている。
【００１０】
微分利得の低下は、信号のDC成分または作用点をシフトすることによって、本発明により少なくとも部分的に補正されうる。信号は、低周波数の大信号と、この大信号に重畳された高周波数の小信号とから成る。微分利得は、低周波数大信号の振幅に従って変化する。本発明によれば、フィルタの作用点に相当する信号のDC位置はその振幅に応じて変化されるので、小信号の本質的に均一な増幅が、信号の振幅範囲全体で得られる。検出手段は、検出された制御の増幅が１よりも小さい変化手段に結合される。これは、信号の制御の変化によって、フィルタの作用点がわずかに変化するにすぎないことを意味している。作用点のシフトは、信号の振幅のわずか数パーセントである。例えば、約１０ｍVの作用点のシフトは、４００ｍVの輝度信号で達成される。しかし、このシフトによって、フィルタの非線形増幅の補正が行われる。
【００１１】
信号は、好適には、低周波数の大信号と、大信号に重畳された高周波数の小信号とから成る。フィルタリング手段は小信号を増幅するが、小信号の増幅は信号の振幅とDC位置に依存している。利点として、大信号は輝度信号を構成し、また小信号は映像信号のクロミナンス信号を構成している。
【００１２】
利点として、大信号の振幅は、請求項２に定義されているように検出手段によって検出されうる。信号全体の最大制御の値は、全波整流器の出力で与えられる。この値は信号全体の制御と、フィルタによって生成される増幅誤差を決定する。
【００１３】
請求項３に定義されるフィルタはよく使用される。このフィルタによって音声搬送波がフィルタリングされる可能性が出てくるが、フィルタはその増幅の非線形性を有している。
【００１４】
請求項４に定義される変化手段は、信号のDC成分が使用する分圧器で容易に調整できるため有利である。
【００１５】
請求項５に定義される電圧／電流ネットワークの使用も、多くの用途で電圧／電流ネットワークがすでに使用されているため好都合である。例えば、テレビ受信器の電圧／電流ネットワークは、フィルタの作用点の調整に使用される。この作用点は、使用するMOSFETを変化及び適合させることによって調整される。請求項５に定義される電圧／電流ネットワークを使用する場合、検出手段で検出される信号の制御は電流に変換され、また電流はDC成分を変化させるための対応する電圧に変換される。これは、電圧／電流ネットワークによって検出手段と変化手段とが結合されることを意味している。検出された制御の増幅は１よりも小さく、これはフィルタの作用点の移動が信号の制御よりも小さいことを意味している。
【００１６】
請求項６に定義されるフィルタによる増幅は特に好都合である。このような増幅器において、入力差電圧は出力電流に変換されうる。
【００１７】
本発明はまた、映像信号受信器のフィルタの非線形伝達関数の補正方法にも関しており、ここでは、信号が増幅され、増幅された信号から信号振幅が検出され、増幅された信号のDC成分が検出された信号振幅に応じて変化され、また変化した信号はフィルタによってフィルタリングされるものであり、フィルタの非線形性はDC成分の変化によって少なくとも部分的に補正される。
【００１８】
本発明は更に、上に説明したように、音声搬送波抑制のための、テレビ受信器、映像受信器または集積回路における補正回路の使用または前記方法の使用に関している。
【００１９】
本発明のこれら及び他の態様は、以下に説明する実施例を参照することにより明らかとなり、また解明されるであろう。
【００２０】
図１は、映像信号の小信号の非線形増幅を補正する補正回路を示している。この映像信号は、以下低周波数輝度信号と称する低周波数を有する輝度信号（大信号）と、以下高周波数クロミナンス信号と称する高周波数を有するクロミナンス信号（小信号）と、音声搬送波信号とから成る。クロミナンス信号は輝度信号に重畳される。映像信号、特に複合映像信号は、トランスコンダクタンス増幅器２によって増幅され、レジスタ４ａ、４ｂを介してフィルタ１６に送られ、ここでフィルタ１６の調整に応じてフィルタリングされる。入力信号Ｕｉｎは、好適には、音声搬送波信号によってフィルタリングされた出力信号Ｕｏｕｔに、フィルタによって変換される。フィルタ１６の非線形性を補正するために、検出手段１４、変化手段１０及び結合回路１２は以下のように動作する。
【００２１】
検出手段１４は全波整流器から成る。この全波整流器は、信号線上で信号をタップする２つのダイオード１４ａ、１４ｂを具備している。信号のピーク値は、ダイオード１４ａ、１４ｂの共通するタップに存在する。これは、ダイオード１４ａ、１４ｂの陰極での信号振幅を測定可能であることを意味している。
【００２２】
検出手段１４及び変化手段１０は、電流／電圧ネットワークを構成する結合手段１２により結合される。結合手段１２は、電圧源１２ｃにより与えられる。全波整流器１４から取り込まれた電圧は、電圧／電流変換器１２ｂで電流に変換される。この電流は、電流／電圧変換器１２ａにおいて再び電圧に変換される。電流／電圧変換器１２ａの出力での振幅は、ダイオード１４ａ、１４ｂの陰極から取った信号振幅よりも著しく小さい。例えば、信号振幅は４００ｍＶであり、また電流／電圧変換器１２ａの出力での電圧は１０ｍＶである。この１０ｍＶは、分圧器によって構成される変化手段１０を介して信号に送られる。電流／電圧変換器１２ａの出力での電圧に応じた信号のＤＣ成分のシフトは、レジスタ１０ａ、１０ｂによって構成される分圧器によって行われる。
【００２３】
フィルタ１６は、低周波数大信号の振幅に応じて高周波数小信号を異なる程度に増幅するので、フィルタ１６の出力で歪小信号が最初に得られる。しかし、フィルタ１６は大信号の制御と、大信号のＤＣ位置とに依存するため、本発明で提案するように、小信号の非線形増幅はフィルタ１６の作用点がシフトすることで行われる。この場合信号のＤＣ成分を変化させることにより行われるフィルタ１６の作用点のシフトにより、フィルタの非線形増幅は、信号の制御に従って補正される。
【００２４】
本発明による補正回路を持たない従来のフィルタは、通常６〜８％の非線形性を有している。これは、信号の６〜８％小さい増幅が信号の大きな制御に対して行われることを意味している。本発明による回路は、この歪を約２〜３％減少させる。
【００２５】
本発明は、フィルタの非線形性の補正を簡素な手段で行うことができるという利点を有している。
【図面の簡単な説明】
【００２６】
【図１】唯一の図１は、フィルタ補正を実現するためのブロック図である。
【符号の説明】
【００２７】
Ｕｉｎ  入力信号
Ｕｏｕｔ  出力信号
２  トランスコンダクタンス増幅器
４ａ、ｂ  レジスタ
１０  変化手段
１０ａ、ｂ  レジスタ
１２  結合手段
１２ａ、ｂ  電流／電圧変換器
１２ｃ  電圧源
１４  検出手段
１４ａ、ｂ  ダイオード
１６  フィルタ
【図１】
2005510932.tif 000003
【国際調査報告】
2005510932.tif 000004
2005510932.tif 000005